(57)【要約】【課題】色調の調整が容易な液晶セルを提供する。【解決手段】カラーフィルタ層33の縦方向に沿った赤色フィルタ部34および青色フィルタ部36の列中に、赤色フィルタ部34および青色フィルタ部36とは異なる透過特性の赤色調整部37および青色調整部38を設けた。カラーフィルタ層33中の赤色調整部37および青色調整部38の個数を変更させて赤色調整部37および青色調整部38の比率を変化させる。カラーフィルタ層33の色調を調整できる。液晶セル１の色調の異なる品種が増大しても、液晶セル１の製造コストの増大を防止でき、製造リードタイムを短縮できる。【選択図】図１
2007147987.tif 000002
【特許請求の範囲】
【請求項１】
絶縁基板と、
この絶縁基板に設けられたカラーフィルタ層とを具備し、
このカラーフィルタ層は、光の三原色に対応して着色されたそれぞれ複数の第１の着色層、第２の着色層および第３の着色層と、これら複数の第１の着色層、第２の着色層および第３の着色層の少なくもいずれか１つに代えて設けられ、代える前の前記第１の着色層、第２の着色層および第３の着色層のいずれかの透過特性とは異なる透過特性を有する色調調整層とを備えた
ことを特徴とするカラーフィルタ基板。
【請求項２】
第１の着色層は、赤色に着色された赤色層で、
第２の着色層は、緑色に着色された緑色層で、
第３の着色層は、青色に着色された青色層で、
これら赤色層、緑色層および青色層は、絶縁基板の長手方向に沿って連続して並べられて設けられているとともに、この絶縁基板の幅方向に向けて繰り返して配設され、
色調調整層は、前記絶縁基板の長手方向および幅方向に沿って一定個数の前記赤色層および緑色層を介した位置にそれぞれ設けられている
ことを特徴とする請求項１記載のカラーフィルタ基板。
【請求項３】
絶縁基板の一主面上にカラーフィルタ層の第１の着色層、第２の着色層および第３の着色層のそれぞれに対応して設けられた複数の画素を具備した
ことを特徴とする請求項１または２記載のカラーフィルタ基板。
【請求項４】
絶縁基板と、この絶縁基板の一主面上に設けられたカラーフィルタ層とを具備し、このカラーフィルタ層は、光の三原色に対応して着色されたそれぞれ複数の第１の着色層、第２の着色層および第３の着色層と、これら第１の着色層、第２の着色層および第３の着色層の少なくもいずれかに代えて設けられ、代える前の前記第１の着色層、第２の着色層および第３の着色層のいずれかの透過特性とは異なる透過特性を有する色調調整層とを備えたカラーフィルタ基板の製造方法であって、
前記カラーフィルタ層の第１の着色層、第２の着色層、第３の着色層および色調調整層のそれぞれを、インクジェットにて塗布して形成する
ことを特徴とするカラーフィルタ基板の製造方法。
【発明の詳細な説明】
【技術分野】
【０００１】
本発明は、カラーフィルタ層を有するカラーフィルタ基板およびその製造方法に関する。
【背景技術】
【０００２】
従来、この種のカラーフィルタ基板を備えた液晶表示装置としては、アレイ基板に対向してカラーフィルタ基板が配設され、これらアレイ基板と対向基板との間に光変調層として液晶組成物が注入されて液晶層が形成されて構成されている。特に、この液晶表示装置のカラーフィルタ基板は、透明な基板上に複数の赤色層、緑色層および青色層を備えたカラーフィルタ層が積層されて構成されている。
【０００３】
具体的に、このカラーフィルタ層の赤色層、緑色層および青色層は、透明な基板上に所定の配列、例えばストライプ配列、デルタ配列またはモザイク配列などの配列パターンによって配置されている。ここで、この配列パターンのうちのストライプ配列は、透明な基板の長手方向に沿って赤色層、緑色層および青色層のいずれかが連続して並設されており、これら長手方向に沿って連続して並設された赤色層、緑色層および青色層が、透明な基板の幅方向に向けて繰り返し配置された配列パターンである。
【０００４】
さらに、これら赤色層、緑色層および青色層は、透明な基板上の所定位置に、インクジェットプリンティング方式で用いられているプリンティングヘッドによるインクジェット法にて所定のインクを塗布してから乾燥して硬化させることによって所定の配列パターンに形成されている(例えば、特許文献１参照。)。
【特許文献１】特開２００４−４９４５号公報
【発明の開示】
【発明が解決しようとする課題】
【０００５】
しかしながら、上述の液晶表示装置では、カラーフィルタ層の赤色層、緑色層および青色層が透明な基板上に規則的に配置されているため、この液晶表示装置の色調を調整するためには、カラーフィルタ層の赤色層、緑色層および青色層それぞれの透過特性を変化させて対応しなければならない。したがって、この種の液晶表示装置の品種が増大した場合には、そのたびにカラーフィルタ層の赤色層、緑色層および青色層それぞれの透過特性を変化させて対応して、このカラーフィルタ層の色調を調整しなければならない。
【０００６】
このため、この液晶表示装置の色調調整が容易でないことから、この液晶表示装置の製造コストが増大してしまうとともに、ある品種の注文があってから、この注文に対応した液晶表示装置が完成するまでの期間である製造リードタイムが長くなってしまうという問題を有している。
【０００７】
本発明は、このような点に鑑みなされたもので、色調調整が容易なカラーフィルタ基板およびその製造方法を提供することを目的とする。
【課題を解決するための手段】
【０００８】
本発明は、絶縁基板と、この絶縁基板に設けられたカラーフィルタ層とを具備し、このカラーフィルタ層は、光の三原色に対応して着色されたそれぞれ複数の第１の着色層、第２の着色層および第３の着色層と、これら複数の第１の着色層、第２の着色層および第３の着色層の少なくもいずれか１つに代えて設けられ、代える前の前記第１の着色層、第２の着色層および第３の着色層のいずれかの透過特性とは異なる透過特性を有する色調調整層とを備えたものである。
【発明の効果】
【０００９】
本発明によれば、カラーフィルタ層のそれぞれ複数の第１の着色層、第２の着色層および第３の着色層の少なくもいずれか１つに代えて、代える前の第１の着色層、第２の着色層および第３の着色層のいずれかの透過特性とは異なる透過特性を有する色調調整層を設けたことにより、この色調調整層の個数を調整するだけでカラーフィルタ層の色調を調整できるから、このカラーフィルタ層の色調調整を容易にできる。
【発明を実施するための最良の形態】
【００１０】
以下、本発明の液晶表示装置の第１の実施の形態の構成を図１および図２を参照して説明する。
【００１１】
図１および図２において、１は平面表示装置としての液晶セルで、この液晶セル１は、アクティブマトリクス型の液晶表示素子としての光透過型の液晶表示装置である。そして、この液晶セル１は、アクティブマトリクス基板としての略矩形平板状のアレイ基板２を備えている。このアレイ基板２は、略透明な矩形平板状の絶縁基板としての透光性基板であるガラス基板３を有している。
【００１２】
さらに、このガラス基板３の一主面である表面上の中央部には、図１に示すように、アクティブマトリクス部としての画像部である画像表示領域４が形成されている。そして、このガラス基板３上の画像表示領域４には、略矩形平板状、例えば平面視正方形状の複数の画素５がマトリクス状に設けられて配置されている。これら複数の画素５は、ガラス基板３の長手方向である縦方向に沿ってｎ個形成されており、このガラス基板３の幅方向である横方向に沿ってｍ個形成されている。したがって、これら複数の画素５は、ガラス基板３上にｎ×ｍ個形成されている。さらに、これら画素５のそれぞれには、画素電極６、蓄積容量としての画素補助容量である図示しない補助容量、およびスイッチング素子としての半導体素子である薄膜トランジスタ(ＴＦＴ)がそれぞれ１つずつ配置されている。
【００１３】
また、ガラス基板３の表面には、電極配線としてのゲート電極配線である複数の走査線11が、このガラス基板３の幅方向に沿って配設されている。これら走査線11は、ガラス基板３の横方向に向けて等間隔に平行に離間されている。また、これら走査線11間のそれぞれには、電極配線としての画像信号配線である複数の信号線12が、ガラス基板３の縦方向に沿って配設されている。これら信号線12は、ガラス基板３の横方向に向けて等間隔に平行に離間されている。
【００１４】
したがって、これら走査線11および信号線12は、ガラス基板３上に直角に交差、すなわち直交して格子状に配線されている。そして、これら走査線11および信号線12のそれぞれにて仕切られた領域内に、各画素５がそれぞれ設けられている。そして、これら走査線11および信号線12の各交点に対応して、画素電極６、補助容量および薄膜トランジスタのそれぞれが各画素５毎に設けられている。
【００１５】
一方、アレイ基板２の表面には、カラーフィルタ基板としての矩形平板状の対向基板31が対向して配設されている。この対向基板31は、略透明な矩形平板状の絶縁基板としての透光性基板であるガラス基板32を備えている。このガラス基板32におけるアレイ基板２に対向した側の一主面である表面には、透過する光にてカラー表示可能にさせる着色層としてのカラーフィルタ層33が積層されて設けられている。このカラーフィルタ層33は、ガラス基板32の表面より突出して設けられている。
【００１６】
具体的に、このカラーフィルタ層33は、少なくとも２色以上、例えば光の三原色に対向して着色された１組の色単位、例えば赤(Red:Ｒ)色に着色された第１の着色層である赤色層としての赤色フィルタ部34と、緑(Green:Ｇ)色に着色された第２の着色層である緑色層としての緑色フィルタ部35と、青(Blue:Ｂ)色に着色された着色層である第３の青色層としての青色フィルタ部36とのそれぞれを備えている。そして、これら赤色フィルタ部34、緑色フィルタ部35および青色フィルタ部36は、対向基板31をアレイ基板２に対向させた状態で、このアレイ基板２の各画素５それぞれの画素電極６に対応して対向する位置に設けられている。
【００１７】
さらに、カラーフィルタ層33は、赤色フィルタ部34、緑色フィルタ部35および青色フィルタ部36の３つのドットが対向基板31の横方向に向けて繰り返し配置されて構成されている。また、このカラーフィルタ層33は、赤色フィルタ部34、緑色フィルタ部35および青色フィルタ部36のそれぞれが、対向基板31の縦方向に向けて連続して並設されて配置されて構成されている。したがって、このカラーフィルタ層33は、赤色フィルタ部34、緑色フィルタ部35および青色フィルタ部36のそれぞれがガラス基板32の縦方向に沿ったストライプ状に配置された配列パターンに構成されている。
【００１８】
ここで、赤色フィルタ部34は、赤色の顔料を分散させた紫外線硬化型アクリル樹脂レジストにて形成されている。同様に、緑色フィルタ部35は、緑色の顔料を分散させた紫外線硬化型アクリル樹脂レジストにて形成されている。さらに、青色フィルタ部36もまた、青色の顔料を分散させた紫外線硬化型アクリル樹脂レジストにて形成されている。そして、これら赤色フィルタ部34、緑色フィルタ部35および青色フィルタ部36のそれぞれは、インクジェット方式を用いた図示しないインクジェット装置にて、各色の顔料を分散させた紫外線硬化型アクリル樹脂レジストをインクとしたインクジェット法にて、ガラス基板32上の所定位置に塗布してから乾燥させて硬化されて形成されている。
【００１９】
さらに、このカラーフィルタ層33のガラス基板32の縦方向に沿って並んだ同一色の赤色フィルタ部34の列中には、これら赤色フィルタ部34の透過特性とは異なる透過特性を有する色調調整層としての着色層である赤色調整部37が設けられている。この赤色調整部37は、赤色フィルタ部34に代えて設けられており、代える前の赤色フィルタ部34での光透過率とは異なる光透過率を有し、例えば赤色フィルタ部34より赤みが弱い橙色に近い色に着色されたカラーフィルタ部である。
【００２０】
そして、この赤色調整部37は、図１に示すように、ガラス基板32の縦方向に沿って並んだ同一原色である各赤色フィルタ部34の列中に、一定個数である２つの赤色フィルタ部34を介した位置毎にそれぞれ配置されている。すなわち、この赤色調整部37は、ガラス基板32の縦方向に沿って並んだ各赤色フィルタ部34の列中に、２個置きに連続して配置されている。さらに、この赤色調整部37は、緑色フィルタ部35および青色フィルタ部36を介してガラス基板32の横方向に沿って一列に並んだ赤色フィルタ部34の列中にも、２つの赤色フィルタ部34を介した位置のそれぞれに配置されている。
【００２１】
また、この赤色調整部37は、ガラス基板32の縦方向および横方向に沿って並んだ赤色フィルタ部34の列毎に、１つの赤色フィルタ部34ほど、縦方向に沿った上側および横方向に沿った右側のそれぞれに向けてずらした位置に設けられている。すなわち、この赤色調整部37は、液晶セル１の画像表示領域４中に、この画像表示領域４の縦方向及び横方向のそれぞれに向けて等間隔に離間させた位置、すなわち均等に分散させて設けられている。
【００２２】
さらに、カラーフィルタ層33のガラス基板32の縦方向に沿って並んだ同一色の青色フィルタ部36の列中には、これら青色フィルタ部36の透過特性とは異なる透過特性を有する色調調整層としての着色層である青色調整部38が設けられている。この青色調整部38は、青色フィルタ部36に代えて設けられており、代える前の青色フィルタ部36での光透過率とは異なる光透過率を有し、例えば青色フィルタ部36より青みが弱い緑色に近い色に着色されたカラーフィルタ部である。
【００２３】
そして、この青色調整部38は、図１に示すように、ガラス基板32の縦方向に沿って並んだ同一原色である各青色フィルタ部36の列中に、一定個数である３つあるいは４つの青色フィルタ部36を介した位置毎にそれぞれ配置されている。すなわち、この青色調整部38は、ガラス基板32の縦方向に沿って並んだ各青色フィルタ部36の列中に、３個置きに次いで４個置きに連続して配置されている。さらに、この青色調整部38は、赤色フィルタ部34および緑色フィルタ部35を介してガラス基板32の横方向に沿って一列に並んだ青色フィルタ部36の列中にも、３つあるいは４つの青色フィルタ部36を介した位置のそれぞれに配置されている。
【００２４】
また、この青色調整部38は、ガラス基板32の縦方向および横方向に沿って並んだ青色フィルタ部36の列毎に、２つの青色フィルタ部36ほど、縦方向に沿った上側および横方向に沿った右側のそれぞれに向けてずらした位置に設けられている。したがって、この青色調整部38もまた、液晶セル１の画像表示領域４中に、この画像表示領域４の縦方向および横方向のそれぞれに向けて等間隔に離間させた位置、すなわち均等に分散させて設けられている。
【００２５】
ここで、これら赤色調整部37および青色調整部38のそれぞれもまた、インクジェット方式を用いた図示しないインクジェット装置にて、各色の顔料を分散させた紫外線硬化型アクリル樹脂レジストをインクとしたインクジェット法にて、ガラス基板32上の所定位置に塗布してから乾燥させて硬化されて形成されている。このとき、このインクジェット装置は、複数、例えば５つの吐出ヘッドを有しており、塗布するインク毎に吐出ヘッドが異なるように構成されている。
【００２６】
さらに、これら赤色フィルタ部34、緑色フィルタ部35、青色フィルタ部36、赤色調整部37および青色調整部38にて構成されたカラーフィルタ層33の表面には、共通電極としてのコモン電極である矩形平板状の図示しない対向電極が積層されて設けられている。この対向電極は、透明電極としてのＩＴＯ膜にて構成されている。また、この対向電極は、対向基板31の表面とアレイ基板２の表面とを対向させた状態で、このアレイ基板２のガラス基板３の画像表示領域４全体に対向する大きさの平面視矩形状の大きな電極である。
【００２７】
そして、図２に示すように、対向基板31は、この対向基板31のカラーフィルタ層33側をアレイ基板２の画素電極６側に対向させた状態で、アレイ基板２に取り付けられている。すなわち、この対向基板31は、これらアレイ基板２と対向基板31との間に所定の間隔である液晶封止領域Ｂが形成されるように、平行に離間された状態で取り付けられている。そして、この液晶封止領域Ｂには、液晶材料としての誘電異方性が正である液晶組成物41が注入されて挟持されて光変調層としての液晶層42が形成されている。
【００２８】
さらに、この液晶層42は、対向基板31とアレイ基板２との間の液晶封止領域Ｂに液晶組成物41が介挿されて封止されて構成されている。そして、この液晶層42は、この液晶層42へと対向基板31側から照射される白色光の透過率を各画素５毎に変化させて、これら各画素５に対応して積層されているカラーフィルタ層33を介して、画像表示領域４に表示されている画像を目視可能にさせる。
【００２９】
また、アレイ基板２と対向基板31との間の周縁部は、これらアレイ基板２と対向基板31との間の液晶封止領域Ｂに液晶層42を封止させる液晶封止部としてのシール材43が取り付けられている。このシール材43は、アレイ基板２と対向基板31との間に接着されて固定されている。また、このシール材43は、アレイ基板２の画像表示領域４の周縁を覆うように設けられており、このアレイ基板２の画像表示領域４と対向基板31との間に液晶封止領域Ｂを形成させる。
【００３０】
一方、アレイ基板２のガラス基板３の他主面である裏面には、平面視略矩形平板状の光源装置としての面状光源であるバックライト44が離間対向して積層されて取り付けられている。このバックライト44は、アレイ基板２のガラス基板３の画像表示領域４全体を覆っており、このアレイ基板２および対向基板31に向けて面状の白色光を透過させて、これらアレイ基板２と対向基板31との間の画像表示領域４全体に白色光を透過させて、この画像表示領域４に表示される画像を目視可能にさせる。
【００３１】
次に、上記第１の実施の形態の液晶表示装置の製造方法を説明する。
【００３２】
まず、成膜工程とパターニング工程とを繰り返してガラス基板３上の画像表示領域４に画素電極６、補助容量、薄膜トランジスタ、走査線11および信号線12のそれぞれを形成して複数の画素５をマトリクス状に設けてアレイ基板２を作製する。
【００３３】
次いで、ガラス基板32上の赤色調整部37を形成する領域を除く所定位置に、赤色の顔料を分散させた紫外線硬化型アクリル樹脂レジストを、インクジェット装置の任意の吐出ノズルからのインクジェットにて塗布してから乾燥させて硬化させて、複数の赤色フィルタ部34を形成する。
【００３４】
さらに、この赤色フィルタ部34を形成する場合と同様に、ガラス基板上32の所定位置に、所定の色の顔料を分散させた紫外線硬化型アクリル樹脂レジストを、インクジェット装置の任意の吐出ノズルからのインクジェットにて塗布してから乾燥させて硬化させて、それぞれ複数の緑色フィルタ部35、青色フィルタ部36、赤色調整部37および青色調整部38のそれぞれを順次形成して、このガラス基板32上にカラーフィルタ層33を形成する。
【００３５】
このとき、ガラス基板32上の赤色フィルタ部34、緑色フィルタ部35、青色フィルタ部36、赤色調整部37および青色調整部38を塗布する領域は、予め設けられたプログラムによって決定されており、このプログラムに基づいて、これら赤色フィルタ部34、緑色フィルタ部35、青色フィルタ部36、赤色調整部37および青色調整部38のそれぞれがガラス基板32上の所定位置に塗布されて形成されている。
【００３６】
この後、このカラーフィルタ層33上に対向電極を形成してから、液晶組成物41を注入する部分を除く対向基板31の周縁に沿ってシール材43となる接着剤を印刷する。
【００３７】
次いで、アレイ基板２の画素電極６側と対向基板31のカラーフィルタ層33側とを対向させてから加熱して接着剤を硬化させてシール材43とし、これらアレイ基板２と対向基板31とをシール材43にて貼り合わせる。
【００３８】
この後、これらアレイ基板２と対向基板31との間のシール材43にてシールされていない部分が注入口となり、この注入口から液晶組成物41として注入して、この液晶組成物41をアレイ基板２と対向基板31との間の液晶封止領域Ｂに介在させて液晶層42とする。
【００３９】
この状態で、アレイ基板２と対向基板31との間の注入口を封止剤にて封止して、カラー表示可能な液晶セル１を作製する。
【００４０】
そして、この液晶セル１のアレイ基板２側にバックライト44を対向させて配置して、液晶セル１の画像表示領域４にて表示される画像を目視可能にさせる。
【００４１】
上述したように、上記第１の実施の形態によれば、液晶セル１の対向基板31のガラス基板32上に積層されているカラーフィルタ層33の縦方向に沿った赤色フィルタ部34および青色フィルタ部36それぞれの列中に、これら赤色フィルタ部34および青色フィルタ部36とは異なる透過特性を有する赤色調整部37および青色調整部38のそれぞれを設けた構成とした。この結果、カラーフィルタ層33中の赤色調整部37および青色調整部38の個数を変更して調整して、このカラーフィルタ層33中の赤色調整部37による赤色フィルタ部34に対する比率や、青色調整部38による青色フィルタ部36に対する比率を変化させることによって、このカラーフィルタ層33を介して表示される画像の色調を調整できる。
【００４２】
したがって、液晶セル１にて表示される画像の色調が購入先の要求によって決定される場合であっても、この液晶セル１のカラーフィルタ層33の赤色調整部37および青色調整部38の個数を調整するだけで、この液晶セル１の色調を調整できる。このため、液晶セル１の色調の異なる品種が増大した場合であっても、液晶セル１の色調を容易に調整できる。よって、この液晶セル１の製造コストの増大を防止できるとともに、ある品種の液晶セル１の注文があってから、この注文に対応した液晶セル１が完成するまでの期間である製造リードタイムを短縮できるので、この液晶セル１の製造性を向上できる。
【００４３】
さらに、この液晶セル１のカラーフィルタ層33の赤色フィルタ部34、緑色フィルタ部35、青色フィルタ部36、赤色調整部37および青色調整部38のそれぞれを、インクジェット装置の吐出ヘッドからのインクジェットにてガラス基板32上の所定位置に塗布する構成とした。この結果、同一のインクジェット装置で、同じ原色に対して複数種のインクおよび吐出ヘッドを用意することによって、これら赤色フィルタ部34、緑色フィルタ部35、青色フィルタ部36、赤色調整部37および青色調整部38のそれぞれを画素５毎に対応させて塗り分けることができる。
【００４４】
したがって、このインクジェット装置による赤色フィルタ部34、緑色フィルタ部35、青色フィルタ部36、赤色調整部37および青色調整部38それぞれを塗り分けるプログラミングを変更するだけで、液晶セル１の色調を要求に応じた色調に調整できるので、要求に応じた色調を有する液晶セル１のリードタイムを短縮できるとともに、この液晶セル１の製造コストを削減できるから、この液晶セル１の製造性をより向上できる。
【００４５】
なお、上記第１の実施の形態では、対向基板31のガラス基板32上にカラーフィルタ層33を形成したが、図３に示す第２の実施の形態のように、このカラーフィルタ層33をアレイ基板２のガラス基板３上に形成して、このアレイ基板２をカラーフィルタ基板とすることもできる。この場合、このカラーフィルタ層33の赤色フィルタ部34、緑色フィルタ部35、青色フィルタ部36、赤色調整部37および青色調整部38それぞれは、任意の画素５内の画素電極６とガラス基板３との間に積層されている。
【００４６】
さらに、対向基板31は、ガラス基板32上の略全面に対向電極が積層されて構成されている。そして、この対向基板31の対向電極とアレイ基板２と画素電極６との間が液晶封止領域Ｂとなり、この液晶封止領域Ｂに液晶組成物41が注入されて液晶層42が形成されている。この結果、このアレイ基板２上のカラーフィルタ層33中の赤色調整部37および青色調整部38の個数を変更して、このカラーフィルタ層33中の赤色調整部37および青色調整部38の比率を変化させることによって、液晶セル１の色調を容易に変更できるから、上記第１の実施の形態と同様の作用効果を奏することができる。
【００４７】
また、上記各実施の形態では、アレイ基板２と対向基板31との間に光変調層として液晶層42を設けて、この液晶層42にて白色光の透過率を画素５毎に変化させてカラー画像表示を目視可能にさせる光透過型の液晶セル１としたが、有機ＥＬ(エレクトロルミネッセンス)表示素子にて発光される白色光の発光強度を各画素５毎に変化させてカラー画像表示を目視可能にさせる有機ＥＬ表示装置としての有機ＥＬパネルや、その他の光反射型の液晶セル１などのカラーフィルタ層33を介してカラー画像を目視可能にさせる表示装置であれば対応させて用いることができる。この場合、この有機ＥＬパネルとしては、カラーフィルタ層33が設けられたカラーフィルタ基板上の各赤色フィルタ部34、緑色フィルタ部35、青色フィルタ部36、赤色調整部37および青色調整部38のそれぞれに対応させて、有機ＥＬ表示素子が対向して設けられている。
【００４８】
さらに、カラーフィルタ層33を青色フィルタ部36、赤色調整部37および青色調整部38の光の三原色にて構成したが、これら青色フィルタ部36、赤色調整部37および青色調整部38以外の光の三原色、例えばシアン、マゼンダおよびイエローのそれぞれに着色された第１の着色層、第２の着色層および第３の着色層にて構成されたカラーフィルタ層33であっても対応させて用いることができる。また、光の三原色以外の異なる色に着色された少なくとも２色以上の着色層にて構成されたカラーフィルタ層33であっても対応させて用いることができる。
【００４９】
そして、カラーフィルタ層33の赤色フィルタ部34および青色フィルタ部36中のそれぞれに赤色調整部37および青色調整部38を形成したが、これら赤色フィルタ部34、緑色フィルタ部35および青色フィルタ部36中の少なくともいずれか一つ以上に色調調整用の透過特性が異なる層を設けるることによって、カラーフィルタ層33の色調を調整できるから、上記各実施の形態と同様の作用効果を奏することができる。
【図面の簡単な説明】
【００５０】
【図１】本発明のカラーフィルタ基板を備えた液晶セルの第１の実施の形態を示す説明分解斜視図である。
【図２】同上液晶セルの示す説明側面図である。
【図３】本発明のカラーフィルタ基板を備えた液晶セルの第２の実施の形態を示す説明分解斜視図である。
【符号の説明】
【００５１】
２    カラーフィルタ基板としてのアレイ基板
３    絶縁基板としてのガラス基板
５    画素
31    カラーフィルタ基板としての対向基板
32    絶縁基板としてのガラス基板
33    カラーフィルタ層
34    第１の着色層としての赤色層である赤色フィルタ部
35    第２の着色層としての緑色層である緑色フィルタ部
36    第３の着色層としての青色層である青色フィルタ部
37    色調調整層としての赤色調整部
38    色調調整層としての青色調整部
【図１】
2007147987.tif 000003
【図２】
2007147987.tif 000004
【図３】
2007147987.tif 000005